【手続補正書】
【提出日】平成20年8月28日(2008.8.28)
【手続補正１】
【補正対象書類名】明細書
【補正対象項目名】特許請求の範囲
【補正方法】変更
【補正の内容】
【特許請求の範囲】
【請求項１】
コンテンツを再生させる再生手段と、
前記再生手段を制御する制御画面を表示する制御画面表示手段と、
前記コンテンツの一覧画面を表示するコンテンツ一覧表示手段と、
前記制御画面と前記一覧画面を切替える切替え手段と、
前記切替え手段により前記制御画面と前記一覧画面が切替えられるとき、前記制御画面が前記一覧画面上に被さるように、または、前記一覧画面上から前記制御画面が剥がされるように、前記制御画面と前記一覧画面が表示されるように、前記制御画面表示手段と、前記コンテンツ一覧表示手段を制御する表示制御手段と
を備える情報処理装置。
【請求項２】
前記コンテンツ一覧表示手段は、前記複数の一覧画面を表示すると共に、各一覧画面毎にタブを表示する
請求項１に記載の情報処理装置。
【請求項３】
前記タブは、前記一覧画面のうち現在処理中のコンテンツを含むとき、表示形式を変化させる
請求項２に記載の情報処理装置。
【請求項４】
コンテンツを再生させる再生ステップと、
前記再生ステップの処理を制御する制御画面を表示する制御画面表示ステップと、
前記コンテンツの一覧画面を表示するコンテンツ一覧表示ステップと、
前記制御画面と前記一覧画面を切替える切替えステップと、
前記切替えステップの処理で前記制御画面と前記一覧画面が切替えられるとき、前記制御画面が前記一覧画面上に被さるように、または、前記一覧画面上から前記制御画面が剥がされるように、前記制御画面と前記一覧画面が表示されるように、前記制御画面表示ステップの処理と、前記コンテンツ一覧表示ステップの処理を制御する表示制御ステップと
を含む情報処理方法。
【請求項５】
コンテンツの再生を制御させる再生制御ステップと、
前記再生制御ステップの処理を制御する制御画面の表示を制御する制御画面表示制御ステップと、
前記コンテンツの一覧画面の表示を制御するコンテンツ一覧表示制御ステップと、
前記制御画面と前記一覧画面との切替を制御する切替え制御ステップと、
前記切替えステップの処理で前記制御画面と前記一覧画面が切替えられるとき、前記制御画面が前記一覧画面上に被さるように、または、前記一覧画面上から前記制御画面が剥がされるように、前記制御画面と前記一覧画面が表示されるように、前記制御画面表示制御ステップの処理と、前記コンテンツ一覧表示制御ステップの処理を制御する表示制御ステップと
を含む処理をコンピュータに実行させるプログラム。
【請求項６】
コンテンツを再生させる再生手段と、
前記再生手段にコンテンツを転送する制御を行うための制御画面を表示する制御画面表示手段と、
コンテンツリスト画面を表示するコンテンツリスト画面表示手段と、
前記制御画面と前記コンテンツリスト画面との表示を切り替える表示切替手段と、
前記表示切替手段により制御画面からコンテンツリスト画面に切り替える場合に、コンテンツリスト画面が制御画面を覆うようにして制御画面とコンテンツリスト画面とを同一の表示領域に表示するように制御する表示制御手段と
を備える情報処理装置。
【請求項７】
コンテンツリスト画面表示手段は、前記コンテンツリスト画面を複数表示し、当該コンテンツリスト画面のそれぞれにタブを表示する
請求項６に記載の情報処理装置。
【手続補正２】
【補正対象書類名】明細書
【補正対象項目名】００１１
【補正方法】変更
【補正の内容】
【００１１】
【課題を解決するための手段】
本発明の第１の側面の情報処理装置は、コンテンツを再生させる再生手段と、再生手段を制御する制御画面を表示する制御画面表示手段と、コンテンツの一覧画面を表示するコンテンツ一覧表示手段と、制御画面と一覧画面を切替える切替え手段と、切替え手段により制御画面と一覧画面が切替えられるとき、制御画面が一覧画面上に被さるように、または、一覧画面上から制御画面が剥がされるように、制御画面と一覧画面が表示されるように、制御画面表示手段と、コンテンツ一覧表示手段を制御する表示制御手段とを備えることを特徴とする。
【手続補正３】
【補正対象書類名】明細書
【補正対象項目名】００１４
【補正方法】変更
【補正の内容】
【００１４】
本発明の第１の側面の情報処理方法は、コンテンツを再生させる再生ステップと、再生ステップの処理を制御する制御画面を表示する制御画面表示ステップと、コンテンツの一覧画面を表示するコンテンツ一覧表示ステップと、制御画面と一覧画面を切替える切替えステップと、切替えステップの処理で制御画面と一覧画面が切替えられるとき、制御画面が一覧画面上に被さるように、または、一覧画面上から制御画面が剥がされるように、制御画面と一覧画面が表示されるように、制御画面表示ステップの処理と、コンテンツ一覧表示ステップの処理を制御する表示制御ステップとを含むことを特徴とする。
【手続補正４】
【補正対象書類名】明細書
【補正対象項目名】００１５
【補正方法】変更
【補正の内容】
【００１５】
本発明の第１の側面のプログラムは、コンテンツの再生を制御させる再生制御ステップと、再生制御ステップの処理を制御する制御画面の表示を制御する制御画面表示制御ステップと、コンテンツの一覧画面の表示を制御するコンテンツ一覧表示制御ステップと、制御画面と一覧画面との切替を制御する切替え制御ステップと、切替えステップの処理で制御画面と一覧画面が切替えられるとき、制御画面が一覧画面上に被さるように、または、一覧画面上から制御画面が剥がされるように、制御画面と一覧画面が表示されるように、制御画面表示制御ステップの処理と、コンテンツ一覧表示制御ステップの処理を制御する表示制御ステップとをコンピュータに実行させることを特徴とする。
本発明の第２の側面の情報処理装置は、コンテンツを再生させる再生手段と、再生手段にコンテンツを転送する制御を行うための制御画面を表示する制御画面表示手段と、コンテンツリスト画面を表示するコンテンツリスト画面表示手段と、制御画面とコンテンツリスト画面との表示を切り替える表示切替手段と、表示切替手段により制御画面からコンテンツリスト画面に切り替える場合に、コンテンツリスト画面が制御画面を覆うようにして制御画面とコンテンツリスト画面とを同一の表示領域に表示するように制御する表示制御手段とを備える。
コンテンツリスト画面表示手段には、コンテンツリスト画面を複数表示し、当該コンテンツリスト画面のそれぞれにタブを表示させるようにすることができる。
【手続補正５】
【補正対象書類名】明細書
【補正対象項目名】００１６
【補正方法】変更
【補正の内容】
【００１６】
本発明の第１の側面においては、コンテンツの再生を制御する制御画面が表示され、コンテンツの一覧画面が表示され、制御画面と一覧画面が切替えられ、制御画面と一覧画面が切替えられるとき、制御画面が一覧画面上に被さるように、または、一覧画面上から制御画面が剥がされるように、制御画面と一覧画面が表示されるように制御される。
本発明の第２の側面においては、コンテンツが再生させられ、コンテンツを転送する制御を行うための制御画面が表示され、コンテンツリスト画面が表示され、制御画面とコンテンツリスト画面との表示が切り替えられ、制御画面からコンテンツリスト画面に切り替える場合に、コンテンツリスト画面が制御画面を覆うようにして制御画面とコンテンツリスト画面とが同一の表示領域に表示されるように制御される。
【手続補正６】
【補正対象書類名】明細書
【補正対象項目名】０１４０
【補正方法】変更
【補正の内容】
【０１４０】
【発明の効果】
本発明によれば、表示内容の視認性を向上させることができ、さらに、表示画面を複数にせずに済むので、各種の操作を実行するために表示画面上を往復するような手間を省くことができ、操作性を向上させることが可能となる。